(57)【要約】【課題】１ラインの読み取り中に原稿画像の濃度が大きく変化しても、正しい画像データを取得することができる画像読取装置を提供する。【解決手段】ラインセンサー３１によって原稿画像を読み取り、ラインセンサー３１から出力される出力電圧に基づいて画像データを取得する画像読取装置（画像読取部３）であって、ラインセンサー３１に供給されるＣＣＤ電源電圧Ｖｃｃの変動を、ラインセンサー３１から出力される出力電圧の出力タイミングと同期させて監視する電源監視部９と、ＣＣＤ電源電圧Ｖｃｃが定常電圧から変動した画素の濃度を補正する画像処理部６と、を備えている。画像処理部６は、ＣＣＤ電源電圧Ｖｃｃが定常電圧から下降する方向に変動した場合、画素濃度を暗くする方向に補正し、ＣＣＤ電源電圧Ｖｃｃが定常電圧から上昇する方向に変動した場合、画素濃度を明るくする方向に補正する。【選択図】図１
2018148509.tif 000002
【特許請求の範囲】
【請求項１】
ラインセンサーによって原稿画像を読み取り、前記ラインセンサーから出力される出力電圧に基づいて画像データを取得する画像読取装置であって、
前記ラインセンサーに供給されるセンサー用電源電圧の変動を、前記ラインセンサーから出力される前記出力電圧の出力タイミングと同期させて監視する電源監視部と、
前記画像データにおいて、前記センサー用電源電圧が定常電圧から変動した画素の濃度を補正する画像処理部と、を具備することを特徴とする画像読取装置。
【請求項２】
前記画像処理部は、前記センサー用電源電圧が定常電圧から下降する方向に変動した場合、画素濃度を暗くする方向に補正し、前記センサー用電源電圧が定常電圧から上昇する方向に変動した場合、画素濃度を明るくする方向に補正することを特徴とする請求項１記載の画像読取装置。
【請求項３】
前記画像処理部は、前記センサー用電源電圧の定常電圧からの変動幅が大きいほど、画素濃度を大きく補正することを特徴とする請求項１又は２記載の画像読取装置。
【請求項４】
前記電源監視部は、前記センサー用電源電圧との異なる電源電圧で駆動するＡＤコンバータであることを特徴とする請求項１乃至３のいずれかに記載の画像読取装置。
【請求項５】
請求項１乃至４のいずれかに記載の画像読取装置と、
前記画像読取装置によって取得された画像データに基づいて画像形成を行う画像形成部と、を具備することを特徴とする画像形成装置。
【発明の詳細な説明】
【技術分野】
【０００１】
本発明は、原稿画像の読取を行う画像読取装置及び画像形成装置に関する。
【背景技術】
【０００２】
原稿画像の読取を行う画像読取装置において、光電変換に使用しているＣＣＤ（Charge Coupled Device）は、電源電圧の変動によって出力電圧が変動する。そこで、画像読取部のみを動作させる場合と、画像読取部と共に他のユニットを同時に動作させる場合とを区別して画像読取部で得られる画像データを補正する技術が提案されている（例えば、特許文献１参照）。
【先行技術文献】
【特許文献】
【０００３】
【特許文献１】特開２００４−１５４７７号公報
【発明の概要】
【発明が解決しようとする課題】
【０００４】
しかしながら、１ラインの読み取り中に濃度が大きく変化した場合、ＣＣＤからなるラインセンサーから出力されるＣＣＤ出力電圧が変動して、実際の濃度とは異なる画像データが取得されてしまうことがある。
【０００５】
図４（ａ）には、比較的濃度差が小さい黒（濃度Ａ）とグレー（濃度Ｂ）とが黒−グレー−黒の順に主走査方向に配置された原稿画像を読み取った際に、ラインセンサーから出力されるＣＣＤ出力電圧が示されている。また、図４（ｂ）には、比較的濃度差が大きいグレー（濃度Ｂ）と白（濃度Ｃ）とが白−グレー−白の順に主走査方向に配置された原稿画像を読み取った際に、ラインセンサーから出力されるＣＣＤ出力電圧が示されている。
【０００６】
主走査方向に配置された原稿画像の濃度差が小さい場合には、図４（ａ）に示すように、濃度が変化してもラインセンサーからのＣＣＤ出力電圧が変動することなく、正しい濃度の画像データが取得される。これに対して、主走査方向に配置された原稿画像の濃度差が大きい場合には、図４（ｂ）に示すように、濃度の変化時にラインセンサーからのＣＣＤ出力電圧が変動してしまい、実際の濃度とは異なる画像データが取得されてしまう。
【０００７】
本発明は、上記問題点を鑑みてなされたものであり、その目的とするところは、１ラインの読み取り中に原稿画像の濃度が大きく変化しても、正しい画像データを取得することができる画像読取装置及び画像形成装置を提供することを目的とする。
【課題を解決するための手段】
【０００８】
本発明の画像読取装置は、ラインセンサーによって原稿画像を読み取り、前記ラインセンサーから出力される出力電圧に基づいて画像データを取得する画像読取装置であって、前記ラインセンサーに供給されるセンサー用電源電圧の変動を、前記ラインセンサーから出力される前記出力電圧の出力タイミングと同期させて監視する電源監視部と、前記画像データにおいて、前記センサー用電源電圧が定常電圧から変動した画素の濃度を補正する画像処理部と、を具備することを特徴とする。
さらに、本発明の画像読取装置において、前記画像処理部は、前記センサー用電源電圧が定常電圧から下降する方向に変動した場合、画素濃度を暗くする方向に補正し、前記センサー用電源電圧が定常電圧から上昇する方向に変動した場合、画素濃度を明るくする方向に補正しても良い。
さらに、本発明の画像読取装置において、前記画像処理部は、前記センサー用電源電圧の定常電圧からの変動幅が大きいほど、画素濃度を大きく補正しても良い。
さらに、本発明の画像読取装置において、前記電源監視部は、前記センサー用電源電圧との異なる電源電圧で駆動するＡＤコンバータであっても良い。
また、本発明の画像形成装置は、上述の画像読取装置と、前記画像読取装置によって取得された画像データに基づいて画像形成を行う画像形成部と、を具備することを特徴とする。
【発明の効果】
【０００９】
本発明によれば、１ラインの読み取り中に原稿画像の濃度が大きく変化しても、センサー用電源電圧の変動が画像データに対する影響を排除することができるため、正しい画像データを取得することができるという効果を奏する。
【図面の簡単な説明】
【００１０】
【図１】本発明に係る画像形成装置の実施の形態の概略構成を示すブロック図である。
【図２】図１に示すＣＣＤ電源電圧の変動例を示す図である。
【図３】図１に示す電源監視部の動作を説明する説明図である。
【図４】原稿画像の濃度変化に伴うＣＣＤ出力電圧の変動を説明する説明図である。
【発明を実施するための形態】
【００１１】
以下、図を参照して本発明の実施の形態を詳細に説明する。なお、以下の実施形態において、同様の機能を示す構成には、同一の符号を付してある。
【００１２】
本実施の形態は、複写機やＭＦＰ（multi-function peripheral）等の画像形成装置１であり、図１を参照すると、操作部２と、画像読取部３と、給紙部４と、記録部５と、画像処理部６と、記憶部７と、これらの構成を動作制御する主制御部８と、電源監視部９とを備えている。
【００１３】
操作部２は、液晶表示部や各種操作ボタンが設けられている。ユーザーは操作部５を操作して指示を入力することで、動作モード等の各種の設定を行い、各種動作を実行させる。
【００１４】
画像読取部３は、ＣＣＤ（Charge Coupled Device）からなる主走査方向に配置されたラインセンサー３１を備えている。画像読取部３は、主制御部８から入力される制御信号に基づいて、コンタクトガラスに載置された原稿や、図示しない原稿給送部によって給送される原稿をラインセンサー３１によって読み取って画像データを取得する。画像読取部３は、取得した画像データを画像処理部６に出力する。また、ラインセンサー３１から出力するＣＣＤ出力電圧の出力タイミングを同期信号として電源監視部９に通知する。
【００１５】
給紙部４は、複数枚の記録紙Ｐが収納される給紙カセットであり、収納されている記録紙を１枚ずつ記録部５に給送する。記録部５は、感光体ドラムと、原稿画像に基づいて感光体ドラムの表面に静電潜像を形成する光学ユニットと、静電潜像が形成された感光体ドラムの表面にトナーを付着させてトナー像を形成する現像部と、感光体ドラム上のトナー像を記録紙に転写する転写部と、加熱してトナー像を記録紙に定着させる定着装置とを備えている。
【００１６】
画像処理部６は、ＣＰＵ（Central Processing Unit）、ＲＯＭ（Read Only Memory）、ＲＡＭ（Random Access Memory）等を備えたＡＳＩＣ等の情報処理部である。画像処理部６は、画像データに対して所定の画像処理を行う手段であり、例えば、拡大縮小処理や、階調調整、濃度調整等の画像改善処理が行われる。また、画像処理部６は、画像読取部３によって読み取られた画像データを、電源監視部９によって生成された補正信号に基づいて補正する。
【００１７】
記憶部７は、半導体メモリーやＨＤＤ（Hard Disk Drive）等の記憶手段であり、画像読取部３によって取得された画像データが記憶されると共に、各種の管理情報が記憶されている。
【００１８】
主制御部８は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。主制御部８のＣＰＵは、ＲＯＭに記憶されている制御プログラムを読み出し、制御プログラムをＲＡＭに展開させることで、操作部５から入力された所定の指示情報に応じて装置全体の制御を行う。
【００１９】
電源監視部９は、ラインセンサー３１に供給されるＣＣＤ電源電圧Ｖｃｃの定常電圧からの変動を監視し、ＣＣＤ電源電圧Ｖｃｃの定常電圧からの変動分を補正信号として画像処理部６に出力する。電源監視部９は、例えば、ＣＣＤ電源電圧をデジタルデータに変換するＡＤコンバータで構成し、定常と異なる電圧値の上昇もしくは下降を検出した場合、その増減分を補正信号として出力する。この場合、ＡＤコンバータの駆動には、ＣＣＤ電源電圧Ｖｃｃとは異なる電源電圧を供給すると、ＣＣＤ電源電圧Ｖｃｃの変動の影響を受けることなく、ＣＣＤ電源電圧Ｖｃｃの変動を正しく監視することができる。
【００２０】
次に、電源監視部９による補正信号生成動作について図２及び図３を参照して詳細に説明する。
１ラインの読み取り中に原稿画像の濃度が大きく変化（例えば、真っ白画像から真っ黒画像に変化）すると、ラインセンサー３１からのＣＣＤ出力電圧が大きく変動する。このとき、ラインセンサー３１から出力される電流も急激に変動するため、ラインセンサー３１に供給するＣＣＤ電源電圧Ｖｃｃを生成している図示しない電源生成デバイスの過渡応答特性や、電源生成デバイスからラインセンサー３１までのパターン経路のインピーダンス等の影響により、図２に示すように、ＣＣＤ電源電圧Ｖｃｃが変動してしまう。このＣＣＤ電源電圧Ｖｃｃの変動が、原稿画像の濃度変化時に実際の濃度とは異なる画像データが取得されてしまう原因であると考察した。
【００２１】
そこで、本実施の形態では、電源監視部９によってＣＣＤ電源電圧Ｖｃｃの定常電圧からの変動を検出する。電源監視部９は、画像読取部３から入力される同期信号に基づき、ラインセンサー３１から出力するＣＣＤ出力電圧の出力タイミングと同期させてＣＣＤ電源電圧Ｖｃｃの定常電圧からの変動を検出する。
【００２２】
そして、電源監視部９は、ＣＣＤ電源電圧Ｖｃｃが定常電圧から変動した画素と、定常電圧からの変動値とを特定し、特定した画素とその変動値とを補正信号として画像処理部６に出力する。
【００２３】
図３に示す例では、画素４〜画素６において、ＣＣＤ電源電圧Ｖｃｃが定常電圧から下降する方向に変動し、画素ｎ＋１〜画素ｎ＋３において、ＣＣＤ電源電圧Ｖｃｃが定常電圧から上昇する方向に変動している。この場合、電源監視部９は、ＣＣＤ電源電圧Ｖｃｃが定常電圧から変動した画素として、画素４〜画素６と、画素ｎ＋１〜画素ｎ＋３とを特定すると共に、定常電圧からの変動値としてそれぞれ−ΔＶ４、−ΔＶ5、−ΔＶ6、＋ΔＶｎ＋１、＋ΔＶｎ＋２、＋ΔＶｎ＋３を特定して画像処理部６に出力する。なお、電源監視部９から画像処理部６にＣＣＤ電源電圧Ｖｃｃの変換値のみを補正信号として出力し、画像処理部６でＣＣＤ電源電圧Ｖｃｃが定常電圧から変動した画素と、定常電圧からの変動値とを特定するようにしても良い。
【００２４】
画像処理部６は、補正信号に基づいて、ＣＣＤ電源電圧Ｖｃｃが定常電圧から変動した画素の濃度を補正する。画像処理部６は、画素４〜画素６のようにＣＣＤ電源電圧Ｖｃｃが定常電圧から下降する方向に変動した場合、変動幅に応じて画素濃度を暗くする方向に補正する。また、画像処理部６は、画素ｎ＋１〜画素ｎ＋３のようにＣＣＤ電源電圧Ｖｃｃが定常電圧から上昇する方向に変動した場合、変動幅に応じて画素濃度を明るくする方向に補正する。
【００２５】
画像処理部６は、ＣＣＤ電源電圧Ｖｃｃの定常電圧からの変動幅が大きいほど、画素濃度を大きく補正する。なお、画素濃度を補正する際の補正値は、特定した変動幅を用いて予め設定された算定式で算出するようにしても良く、特定した変動幅と補正値が設定された複数のしきい値との比較によって決定するようにしても良い。
【００２６】
以上説明したように、本実施の形態によれば、ラインセンサー３１によって原稿画像を読み取り、ラインセンサー３１から出力される出力電圧に基づいて画像データを取得する画像読取装置（画像読取部３）であって、ラインセンサー３１に供給されるＣＣＤ電源電圧Ｖｃｃの変動を、ラインセンサー３１から出力される出力電圧の出力タイミングと同期させて監視する電源監視部９と、画像データにおいて、ＣＣＤ電源電圧Ｖｃｃが定常電圧から変動した画素の濃度を補正する画像処理部６と、を備えている。
この構成により、１ラインの読み取り中に原稿画像の濃度が大きく変化しても、ＣＣＤ電源電圧Ｖｃｃの変動が画像データに対する影響を排除することができるため、正しい画像データを取得することができる。
【００２７】
さらに、本実施の形態において、画像処理部６は、ＣＣＤ電源電圧Ｖｃｃが定常電圧から下降する方向に変動した場合、画素濃度を暗くする方向に補正し、ＣＣＤ電源電圧Ｖｃｃが定常電圧から上昇する方向に変動した場合、画素濃度を明るくする方向に補正する。
この構成により、ＣＣＤ電源電圧Ｖｃｃが変動方向に応じて、正しく画像データを補正することができる。
【００２８】
さらに、本実施の形態において、画像処理部６は、ＣＣＤ電源電圧Ｖｃｃの定常電圧からの変動幅が大きいほど、画素濃度を大きく補正する。
この構成により、ＣＣＤ電源電圧Ｖｃｃの変動幅に応じて画像データを正確に補正することができる。
【００２９】
さらに、本実施の形態において、電源監視部９は、ＣＣＤ電源電圧Ｖｃｃとは異なる電源電圧で駆動するＡＤコンバータで構成する。
この構成により、ラインセンサー３１に供給されるＣＣＤ電源電圧Ｖｃｃの変動を正確に監視することができる。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３１】
１  画像形成装置
２  操作部
３  画像読取部
４  給紙部
５  記録部
６  画像処理部
７  記憶部
８  主制御部
９  電源監視部
３１  ラインセンサー
【図１】
2018148509.tif 000003
【図２】
2018148509.tif 000004
【図３】
2018148509.tif 000005
【図４】
2018148509.tif 000006